(57)【要約】【課題】視覚的効果が高く、遊技機の興趣性を向上させることのできる表示装置の提供。【解決手段】遊技機に取り付けられ、遊技に関する画像を表示する表示装置１２０であって、可撓性を有し、画像が表示されるシート状の表示媒体１２１と、前記表示媒体１２１を張った状態で支持する支持部材１２２と、前記表示媒体の画像が表示されない面に作用して前記表示媒体１２１を変形させる作用体１２３と、前記作用体１２３を駆動する駆動源１２４とを備える。【選択図】図５
2007313025.tif 000002
【特許請求の範囲】
【請求項１】
遊技機に取り付けられ、遊技に関する画像を表示する表示装置であって、
可撓性を有し、画像が表示されるシート状の表示媒体と、
前記表示媒体を張った状態で支持する支持部材と、
前記表示媒体の画像が表示されない面に作用して前記表示媒体を変形させる作用体と、
前記作用体を駆動する駆動源と
を備えることを特徴とする表示装置。
【請求項２】
前記表示媒体は、光書き込み形の電子ペーパーであり、
前記作用体は、前記表示媒体を押圧して変形させる円筒形状の部材であり、
前記作用体の周壁には前記電子ペーパーに転写するための複数の原画が周方向に並んで設けられ、
さらに、
前記原画を前記表示媒体に転写するための光源と、
前記画像を選択するために前記作用体を回転させる回転駆動源とを備え、
前記作用体を前記電子ペーパーの裏面に押し付けると共に、前記光源からの光により前記表示媒体に前記原画の一つを転写する請求項１に記載の表示装置。
【発明の詳細な説明】
【技術分野】
【０００１】
本発明はパチンコ機やスロットマシン等の遊技機に取り付けられる表示装置に関し、特に、立体的な表示を可能とする表示装置に関する。
【背景技術】
【０００２】
従来の遊技機においては、液晶表示画面の周辺に、可動役物と呼ばれる移動可能な立体物を設置し、液晶表示画面に表示される２次元の画像と、３次元の可動役物の動きを連動させることによって、遊技に関する演出を盛り上げ、遊技者を飽きさせないようにしている。
【０００３】
例えば、特許文献１に記載の技術のように、液晶表示画面の周囲の裏側にソレノイドなどの駆動源を設置し、さらに、リンク機構や歯車を介して可動役物（特許文献１ではハンマー形の立体造形物）を駆動させている。この可動役物は、液晶表示画面を覆わない状態から液晶表示画面に被さる状態に移動することができ、当該可動役物の動きに合わせて液晶表示画面に表示される画像を変化させて興趣性の向上を図っている。
【特許文献１】特開２００１−２５５４６号公報
【発明の開示】
【発明が解決しようとする課題】
【０００４】
ところが、表示画面の周囲に駆動源や駆動機構を配置すると、その分、遊技領域が狭くなって、遊技盤のレイアウト設計の自由度が減少してしまうことになる。
【０００５】
また、昨今の遊技機においては、表示画面のサイズが大型化しており、表示画面の周囲に駆動源などを配置することが困難になってきている。
【０００６】
本発明は、上記問題点に鑑みなされたものであり、遊技盤のレイアウトを犠牲にすることなく、表示画面の大型化にも容易に対応できる新規な演出体としての表示装置の提供を目的とする。
【課題を解決するための手段】
【０００７】
上記目的を達成するために、本発明に係る表示装置は、遊技機に取り付けられ、遊技に関する画像を表示する表示装置であって、可撓性を有し、画像が表示されるシート状の表示媒体と、前記表示媒体を張った状態で支持する支持部材と、前記表示媒体の画像が表示されない面に作用して前記表示媒体を変形させる作用体と、前記作用体を駆動する駆動源とを備えることを特徴とする。
【０００８】
これにより、表示媒体そのものを作用体により変形させることができるため、表示装置の他に可動役物を設けることなく、立体的な可動物を遊技者に提供することができ、省スペースかつ大型の表示画面にも対応することのできる興趣性の高い遊技機を提供することが可能となる。
【０００９】
また、前記表示媒体は、光書き込み形の電子ペーパーであり、前記作用体は、前記表示媒体を押圧して変形させる円筒形状の部材であり、前記作用体の周壁には前記電子ペーパーに転写するための複数の原画が周方向に並んで設けられ、さらに、前記原画を前記表示媒体に転写するための光源と、前記画像を選択するために前記作用体を回転させる回転駆動源とを備え、前記作用体を前記電子ペーパーの裏面に押し付けると共に、前記光源からの光により前記表示媒体に前記原画の一つを転写するものとしてもよい。
【００１０】
これにより、電子ペーパー特有の表示態様を演出に適用することができ、表示媒体の立体的な変形と共に興趣性の高い表示装置を提供することが可能となる。
【発明を実施するための最良の形態】
【００１１】
以下、本発明に係る実施の形態を図面に沿って説明する。
【００１２】
図１は、本実施形態に係るパチンコ機１００の正面方向から示す斜視図である。
【００１３】
同図に示されるように、パチンコ機１００は、外枠１１１と、前枠１１２と、窓枠１１３とを備え、窓枠１１３の背部には遊技球１０５が転落する遊技盤１１４とを備えている。
【００１４】
外枠１１１は、パチンコ機１００の各構成要素を保持するための基礎となる部材であり、矩形状の枠体となっている。また、外枠１１１は、パチンコホールなど設置されている台島に直接固定される部材であり、台島と外枠１１１のみとを固着することによりパチンコ機１００が台島に設置されることとなる。
【００１５】
前枠１１２は、遊技盤１１４や、各種制御基盤などが直接的に、また取り付け用部材を介して間接的に取り付けられる部材である。また、前枠１１２は、外枠１１１の前端面左側とヒンジ１０１を介して取り付けられており、外枠１１１に対して前枠１１２が回動可能となされている。すなわち、台島に設置されたパチンコ機１００の前枠１１２を回動すると、パチンコ機１００の背部を露出させることが可能となっている。
【００１６】
また、前枠１１２の前面下部には遊技者が操作できる遊技球１０５を貯留するための上皿１１６や下皿１１７が設けられ、下皿１１７の右方には、遊技者が回転させることにより遊技球１０５の射出の可否を選択肢、また、遊技球１０５の射出速度を変更するためのハンドル１１８が設けられている。
【００１７】
窓枠１１３は、前枠１１２の前面にヒンジ１０２を介して装着される部材である。この窓枠１１３は円形孔状の窓部１０３を有し、当該窓部１０３の内周面には透明なガラス板１０４が設けられている。前記窓部１０３のガラス板１０４は、遊技中の遊技球１０５が転落する遊技盤１１４の前面に配置されており、前記転落中の遊技球１０５を遊技者が視認できると共に、遊技球１０５が遊技盤１１４から飛び出ることを防止している。なお、本実施形態ではガラス板１０４と記載しているが、本実施形態のガラス板１０４とは透明で遊技球１０５転落の際の衝撃に抗する強度を有するものとの意味である、従い、この条件を満たすなら樹脂製でもよく、樹脂板とガラス板とを併有していてもかまわない。
【００１８】
遊技盤１１４は、遊技球１０５が転落する遊技領域を形成するための木製や樹脂製の部材であり、遊技球１０５を複雑に転落させるための釘や、大当たりを判定するためのトリガーとなる始動口１１５や、大当たり遊技中に遊技球１０５を受け取るために開放される大入賞口１１９などの他、装飾図柄が表示される表示媒体１２１（表示装置１２０）が取り付けられる部材である。
【００１９】
図２は、パチンコ機１００の背面を示す斜視図である。
【００２０】
同図に示すように、パチンコ機１００の背部上側には、球タンク１３１と、タンクレール１３２とが取り付けられている。
【００２１】
また、タンクレール１３２の下方には、本実施形態に係る表示装置１２０が配置されている。
【００２２】
表示装置１２０は、図３に示すように、遊技盤１１４に貫通状に設けられた取り付け孔に表示装置１２０のユニットケース１２５が挿入された状態で遊技盤１１４に固定されており、ユニットケース１２５の後方部分がパチンコ機１００の背部方向に突出した状態となっている。
【００２３】
またパチンコ機１００の背部には、表示装置１２０の下方に、各種遊技音の出力制御を行なう音サブ基盤１３３、入賞時におけるパチンコ機１００の動作等を含むパチンコ機１００の主要な動作を制御する主基盤１３４、遊技球１０５の払い出し動作を制御する払出基盤１３５、および各基盤等に電源を供給する電源基盤１３６等の各種基盤がそれぞれケースに収容された状態で取り付けられている。
【００２４】
図３は、遊技盤１１４に取り付けられた表示装置１２０を示す断面図である。
【００２５】
同図に示すように、表示装置１２０は、表示媒体１２１と、支持部材１２２と、作用体１２３と、駆動源１２４とを備えている。また、これらの部材は、ユニットケース１２５内に収容されている。
【００２６】
なお、ユニットケース１２５内には表示媒体１２１に表示する図柄を記憶し、また、当該図柄の表示を制御する表示制御基盤（図示せず）、表示媒体１２１に図柄を表示させるためのドライバ基板（図示せず）なども収容されている。
【００２７】
表示媒体１２１は、本実施形態の場合、可撓性を有する矩形シート状の有機ＥＬ（electroluminescence）ディスプレイが採用されている。この有機ＥＬディスプレイとは、電圧をかけると発光する物質を利用したディスプレイであり。当該発光体を可撓性のある樹脂シートに設けることにより可撓性を実現している。また、当該有機ＥＬディスプレイは、曲げた状態でも動画を表示できるものとなっている。
【００２８】
作用体１２３は、表示媒体１２１を所定の形状に変形させるための部材であって、円筒を軸線が含まれる面で切断した半円筒形状となっている。作用体１２３は、表示媒体１２１の中間部分を幅方向全体にわたって後方から前方に向かって押し出し、表示媒体１２１を湾曲状に変形させることができる。なお、作用体１２３の両端部は、壁面により閉じた状態となっている。
【００２９】
また、作用体１２３は、駆動源１２４により出退自在なシャフト１２９の端部と接合されており、当該シャフト１２９を介して駆動源１２４により出退自在となっている。
【００３０】
駆動源１２４は、内部に保持するシャフト１２９をシャフト１２９の軸線方向に沿って出退させることができるリニアアクチュエーターである。当該駆動源１２４は、外部からの制御信号に基づきシャフト１２９の出退を自在に制御される。従って、当該駆動源１２４を制御することにより、作用体１２３の移動を制御することができる。
【００３１】
支持部材１２２は、表示媒体１２１を常に張った状態で保持するための部材であり、図４に示すように、表示媒体１２１の対向する２辺を挟持する長尺の挟持体１２６と、挟持体１２６の長さ方向に複数個並んで取り付けられるバネ１２７とで構成されている。
【００３２】
また、支持部材１２２は、図３に示すように、ユニットケース１２５の前面端部に設けられる溝状のガイド部１２８に摺動可能に保持されている。当該ガイド部１２８は、表示媒体１２１の幅方向に伸び、ユニットケース１２５の内方に向いて開口する溝を備えており、当該溝の幅は挟持体１２６の幅に対応している。
【００３３】
バネ１２７は、縮む方向に付勢されており、その一端はガイド部１２８の溝の底部に取り付けられ、他端は挟持体１２６に取り付けられている。
【００３４】
以上のような支持部材１２２及びガイド部１２８の構造により、表示媒体１２１は、ユニットケース１２５の前面に、一定の張力で張り渡された状態で保持される。従って、表示媒体が作用体１２３による変形が加えられたとしても、表示媒体１２１は、変形している状態でも張った状態となり、さらに、作用体１２３による作用がなくなった場合においては、表示媒体１２１は、平面で張った状態に復元される。
【００３５】
次に、表示装置１２０の動作状態を説明する。
【００３６】
図５に示すように、駆動源１２４を制御し、シャフト１２９を突出させることで作用体１２３は表示媒体１２１の中間部を前方に押し出す。この状態において、表示媒体１２１は、図６に示すように、作用体１２３の湾曲に従い変形すると共に、支持部材１２２をユニットケース１２５の内向き方向に引っ張ることとなる。当該支持部材１２２が引っ張られた状態では、挟持体１２６は、ガイド部１２８を摺動し、バネ１２７は、前記摺動に伴い伸びつつ表示媒体１２１をそれぞれ上下方向に引っ張る。
【００３７】
以上により、表示媒体１２１は、作用体１２３の形状に従って湾曲すると共に、バネ１２７の付勢力により張った状態でユニットケース１２５の前面に維持される。
【００３８】
以上の表示装置１２０の構成により、表示媒体１２１を平面の状態とその一部が半円筒状に突出した変形状態とを任意に変形させることができる。従って、表示媒体１２１が変形した状態をその過程と共に遊技者が看取できるため、興趣性の向上を図ることが可能となる。
【００３９】
次に、パチンコ機１００の動作状態における表示装置１２０の使用態様を説明する。
【００４０】
始動口１１５に遊技球が入賞していない状態においては、表示媒体１２１は、図１、図３、図４に示すように、作用体１２３が表示媒体１２１を変形させていない平面状態でユニットケース１２５の前面に配置され、従来のパチンコ機と同様に、当該状態に対応する図柄が表示される。
【００４１】
次に、始動口１１５へ遊技球が入賞すると、主基盤１３４で大当たりか否か決定され、前記主基盤１３４の結果に対応した複数種類の図柄のうち一つが所定の確立で選定される。表示される図柄は、表示媒体１２１を変形させるものと変形されずに平面のまま表示されるものがある。以下、表示媒体１２１を変形させる図柄が選定されたとして説明する。
【００４２】
始動口１１５に遊技球が入賞すると、図柄の変動表示が開始される。当該図柄表示の開始から所定のタイミングで駆動源１２４が制御され、図５、図６、図７に示すように、表示媒体１２１の上下方向の中間部を幅方向にわたって湾曲状態で突出するように作用体１２３が表示媒体１２１を徐々に押し出していく。
【００４３】
この状態において、遊技者が見ていた平面の画面が突然に変形を始めるため、遊技者の注目がこの変形点に集中し、表示媒体１２１に表示される図柄と実際の三次元的変形との相乗効果により演出効果を高めることができる。
【００４４】
そして、表示媒体１２１の変形が完了した状態において、図７に示すように、表示媒体１２１を幅方向に三等分し、分けられた各短冊状の部分の上部から下部に向かってそれぞれ異なる数字や図柄が次々に流れ落ちるような図柄を表示媒体１２１に表示する。
【００４５】
以上のように、実際に三次元的に湾曲した表示媒体１２１の表面に上記図柄が表示されると、表面に文字や記号が記された実物の回転ドラムがあたかも回転しているように遊技者が看取する。これは、平面的なディスプレイ上に擬似的な三次元画像として表示されたものよりも、興趣性にとみ、遊技者を引きつける魅力を有している。
【００４６】
そして、大当たりが発生する確率が高い状態のリーチアクション（いわゆる激アツ）の時に表示媒体１２１が変形する演出を採用すれば、遊技者の注意を引きつけ飽きさせないゲームを構成することが可能となる。
【００４７】
次に、他の実施形態を説明する。
【００４８】
本実施形態に係る表示装置１２０は、前記実施形態と同様に、表示媒体１２１と、支持部材１２２と、作用体１２３と、駆動源１２４とをユニットケース１２５内に備えている。さらに、本実施形態の場合、作用体１２３の内部同軸上に光源を備え、作用体１２３を回転させるための回転駆動源１３８とを備えている。
【００４９】
なお、表示媒体１２１を支持する支持部材１２２、駆動源１２４、ユニットケース１２５は前記実施形態と同様であるためその説明を省略する。
【００５０】
表示媒体１２１は、本実施形態の場合、可撓性を有する矩形シート状の光書き込み形電子ペーパーが採用されている。この光書き込み型電子ペーパーとは、電圧印加状態において受光した光信号を瞬時に画像に変換することができるものであり、その後電圧を開放しても前記画像を媒体表面に保持し続けることができる表示媒体１２１である。
【００５１】
本実施形態において、表示媒体１２１として光書き込み形電子ペーパーを採用したのは、表示媒体１２１自体の電気的構成が容易、かつ、画像の変更が可能だからである。
【００５２】
図８は、他の実施形態に係る作用体１２３等を示す斜視図である。
【００５３】
作用体１２３は、表示媒体１２１を所定の形状に変形させるための部材であって、同図(ａ)に示すように、円筒形状となっており、その周壁には画像としての文字が刻設されている。作用体１２３は、表示媒体１２１の中間部分を幅方向全体にわたって後方から前方に向かって押し出し、表示媒体１２１を湾曲状に変形させることができる。なお、作用体１２３の両端部は、壁面により閉じた状態となっている。
【００５４】
また、作用体１２３は、コ字状の保持具１３９に回転可能に保持されている。当該保持具は、駆動源１２４により出退自在なシャフト１２９の端部と接合されている。従って作用体１２３は保持具１３９に対し回転可能であり、かつ、前記シャフト１２９を介して駆動源１２４により出退自在となっている。
【００５５】
保持具１３９にはさらに、回転駆動源１３９が取り付けられている。当該回転駆動源１３９はギア１４０を備えており、当該ギア１４０と作用体１２３とをかみ合わせることで作用体１２３を任意の角度に回転させることができる。なお、ギア１４０及び作用体１２３の該当部分にはギアの歯が設けられているが、図８においてはその記載を省略している。
【００５６】
図３（ｂ）に示すように、作用体１２３の内部には光源１３７が作用体１２３と同軸に備えられている。当該光源１３７は、作用体１２３の内部で発光することで作用体１２３の周壁に刻設された文様を表示媒体１２１に転写するための光源である。
【００５７】
次に、本実施形態に係る表示装置１２０の動作状態を説明する。
【００５８】
本実施形態においても、表示媒体１２１を変形させるまでは、前記実施形態と同様であるので、その説明を省略する。なお、作用体１２３が表示媒体１２１を押圧する前に、回転駆動源１３８を制御して表示媒体１２１に表示させたい文様が前方に来るように作用体１２３を回転させておく。
【００５９】
次に、表示媒体１２１を変形後、表示媒体１２１に電圧を印加し、光源１３７を発光させる。作用体１２３に刻設された文様を透過した光が表示媒体１２１に作用し、表示媒体１２１に現れている画像が変更される。
【００６０】
表示媒体１２１に現れる画像が変更された後は、作用体１２３を退行させてもよく、また、作用体１２３を突出状態で維持し、表示媒体１２１を変形させた状態で維持してもかまわない。
【００６１】
以上の様に、表示媒体１２１に光書き込み形電子ペーパーを採用すれば、画像が変更される時に電子ペーパー特有のゆっくりとした変更状態を表示媒体１２１の変形と共に遊技者に提供することができ、興趣性を向上させることができる。
【００６２】
なお、本発明に係る作用体１２３は上記形状に限定されるわけではなく、例えば、人の顔の形など任意の複雑な形状でもかまわない。
【００６３】
また、作用体１２３を単に出退させるだけではなく、表示媒体１２１の面の方向に移動するものでもよい。さらに、作用体１２３と表示媒体１２１の裏面の一部とを接着剤などで接合しておき、作用体１２３を退く方向に移動させることによって、表示媒体１２１を凹状に変形させてもかまわない。
【産業上の利用可能性】
【００６４】
本発明は、パチンコ機やスロット機などの遊技機に利用できる。
【図面の簡単な説明】
【００６５】
【図１】本実施形態に係る表示装置が備えられるパチンコ機を方向から示す斜視図。
【図２】同パチンコ機を背面から示す斜視図。
【図３】表示装置を模式的に示す断面図。
【図４】表示媒体と支持部材とを示す斜視図。
【図５】表示装置（突出状態）を模式的に示す断面図。
【図６】表示媒体（突出状態）と支持部材とを示す斜視図。
【図７】突出した表示媒体を備えるパチンコ機を示す斜視図。
【図８】他の実施形態に係る作用体などを示す斜視図。
【符号の説明】
【００６６】
１２０…表示装置、１２１…表示媒体、１２２…支持部材、１２３…作用体、１２４…駆動源
【図１】
2007313025.tif 000003
【図２】
2007313025.tif 000004
【図３】
2007313025.tif 000005
【図４】
2007313025.tif 000006
【図５】
2007313025.tif 000007
【図６】
2007313025.tif 000008
【図７】
2007313025.tif 000009
【図８】
2007313025.tif 000010